(57)【要約】【課題】手摺支柱をレベル調整した後、接着剤が固化する迄人手を要することなく、そのまま鉛直姿勢を維持できるようにした手摺りの取付装置を提供する。【解決手段】手摺支柱２の下端部に支柱取付用アンカー１１を固着し、この支柱取付用アンカー１１を、ベランダ等の堰壁１に穿設したアンカー挿入穴１５に挿入して接着剤Ｇにより固定するようにした手摺りの取付装置において、手摺支柱２の下端部複数箇所にレベル調整用ボルト１２を螺装してなる。【選択図】図３
2006077514.tif 000002
【特許請求の範囲】
【請求項１】
手摺支柱の下端部に支柱取付用アンカーを固着し、この支柱取付用アンカーを、ベランダ等の堰壁に穿設したアンカー挿入穴に挿入して接着剤により固定するようにした手摺りの取付装置において、手摺支柱の下端部複数箇所にレベル調整用ボルトを螺装してなることを特徴とする手摺り取付装置。
【請求項２】
レベル調整用ボルトは、アルミ押出型材からなる手摺支柱の四隅部に設けられたビスホールに夫々螺着してなることを特徴とする請求項１に記載の手摺りの取付装置。
【発明の詳細な説明】
【技術分野】
【０００１】
本発明は、ベランダや屋上等の堰壁上に設置される手摺りの取付装置に関するもので、特に手摺支柱の下端部に支柱取付用アンカーを固着し、この支柱取付用アンカーを、ベランダ等の堰壁に穿設したアンカー挿入穴に挿入して接着剤により固定するようにした手摺りの取付装置に関する。
【背景技術】
【０００２】
上記のような手摺りの取付装置の従来技術として、特許公報等の公知文献を具体的に挙げることはできないが、従来の手摺りの取付装置において、手摺支柱の下端部に固着した支柱取付用アンカーを、堰壁に穿設したアンカー挿入穴に挿入して接着剤によりアンカー挿入穴に固着する際に、手摺支柱を鉛直姿勢に位置させるために、水準器によって手摺支柱のレベル、即ち鉛直度を調整した後、接着剤が固化するまで作業者が手摺支柱を鉛直姿勢に保持するようにしていた。
【発明の開示】
【発明が解決しようとする課題】
【０００３】
従来の手摺りの取付装置では、上記のように手摺支柱を鉛直姿勢に位置させるために、手摺支柱のレベル調整後、接着剤が固化するまで作業者が手摺支柱を鉛直姿勢に保持する必要があったため、手摺りの取付施工能率が悪くなっていた。本発明、斯かる点に鑑みてなされたもので、手摺支柱をレベル調整した後、接着剤が固化するまで人手を要することなく、そのまま鉛直姿勢を維持できるようにした手摺りの取付装置を提供することを目的とする。
【課題を解決するための手段】
【０００４】
上記課題を解決するための手段を、後述する実施形態の参照符号を付して説明すると、請求項１に係る発明は、手摺支柱２の下端部に支柱取付用アンカー１１を固着し、この支柱取付用アンカー１１を、ベランダ等の堰壁１に穿設したアンカー挿入穴１５に挿入して接着剤Ｇにより固定するようにした手摺りの取付装置において、手摺支柱２の下端部複数箇所にレベル調整用ボルト１２を螺装してなることを特徴とする。
【０００５】
請求項２は、請求項１に記載の手摺りの取付装置において、レベル調整用ボルト１２は、アルミ押出型材からなる手摺支柱２の四隅部に設けられたビスホール１０に夫々螺着してなることを特徴とする。
【発明の効果】
【０００６】
上記解決手段による発明の効果を、後述する実施形態の参照符号を付して説明すると、請求項１に係る発明によれば、手摺支柱２の下端から突出させた支柱取付用アンカー１１をアンカー挿入穴１５に挿入した状態でレベル調整用ボルト１２を適宜に回して支柱本体５をレベル調整して鉛直姿勢にするだけで、この手摺支柱２は、接着剤Ｇが固化するまで作業者が保持する必要はなく、そのまま放置しておけばよいから、人手を要することなく、そのまま鉛直姿勢を維持でき、手摺りの取付施工能率の向上を図ることができる。
【０００７】
請求項２に係る発明によれば、レベル調整用ボルト１２は、アルミ押出型材からなる手摺支柱２の四隅部にあるビスホール１０にねじ込めばよいために、取付けが簡単となり、また手摺支柱２の四隅部の４箇所に取り付けるから、手摺支柱２の前後方向及び左右方向の傾きを調整することができて、手摺支柱２の鉛直度を簡単容易にして正確に出すことができる。
【発明を実施するための最良の形態】
【０００８】
以下に本発明の好適な実施形態を図面に基づいて説明すると、図１の(a) は手摺りを屋外側から見た正面図、(b) は(a) のイ−イ線拡大断面図であり、図２は図１の(b) のロ−ロ線拡大断面図、図３の(a) は手摺支柱の取付部の拡大断面図、(b) は(a) のハ−ハ線断面図である。この手摺りは、例えばベランダに設置された比較的丈の高い堰壁１の上部に手摺支柱２を一定間隔おきに立設し、これらの手摺支柱２に亘って横桟３を複数段に架け渡し、手摺支柱２の上端部に手摺笠木４を取り付けてなるものである。
【０００９】
手摺支柱２は、図２から分かるように、一側端部がその全長に亘って開口し且つその内部に隔壁８を全長に亘って形成したアルミ押出型材からなる角形の支柱本体５と、この支柱本体５の開口部７を塞ぐようにこの開口部７に着脱可能に取り付けられるアルミ押出型材からなる塞ぎ部材６とによって構成されたもので、支柱本体５の内部中央には径大のビスホール９が隔壁８に隣接して形成され、また支柱本体５の内部四隅には径小のビスホール１０が形成されている。塞ぎ部材６は、断面略々コ字状に形成されたもので、両側部に係嵌凹部ｂ，ｂを有し、これらの係嵌凹部ｂ，ｂに夫々係嵌して塞ぎ部材６を手摺支柱２の長手方向にスライドさせる係嵌凸部ａ，ａが、手摺本体７の開口部７の両側部であるビスホール１０，１０に形成されている。各横桟３は、中空横長矩形断面のアルミ押出型材からなる。
【００１０】
支柱本体５の下端部には支柱取付用アンカーとしての螺軸１１が径大ビスホール９に螺入されて、支柱本体５の下端から所要長さ突出されるようになっている。また支柱本体５の下端部には、前後左右４個のレベル調整用ボルト１２が、頭１２ｏを下向きにして螺装されている。即ち、図２及び図３から分かるように、支柱本体５の四隅部には夫々ビスホール１０が形成されているから、これら４箇所のビスホール１０に夫々下端部よりレベル調整用ボルト１２がねじ込まれている。
【００１１】
手摺支柱２を堰壁１上に立設するには、先ず、図３の(a) に示すように、各手摺支柱２の支柱本体５の下端には四隅部にあるビスホール１０に夫々レベル調整用ボルト１２を螺着すると共に、支柱本体５の径大ビスホール９に螺軸１１（支柱取付用アンカー）の一端部をねじ込んで固定し、他端部側をボルト取付板１３のアンカー挿通孔１３ａから下方へ突出させた状態としておく。
【００１２】
そして、堰壁１の上面１ａにドリルで所定深さのアンカー挿入穴１５を開け、穴底部に残っている砂塵を排除した後、アンカー挿入穴１５に接着剤Ｇを注入し、この接着剤Ｇを注入したアンカー挿入穴１５に、手摺支柱２の下端から突出させた支柱取付用アンカーとしての螺軸１１を挿入する。この際、水準器柱２を使用し、手摺支柱２の下端部の４箇所に螺着したレベル調整用ボルト１２を適宜回して、支柱本体５の鉛直度を適正に調整する。この場合、レベル調整用ボルト１２が手摺支柱２下端部の前後左右４箇所にあるから、手摺支柱２の前後方向及び左右方向の傾きを調整することができて、手摺支柱２の鉛直度を簡単容易にして正確に出すことができる。また、この実施形態の堰壁１では、堰壁上面１ａが屋外側から屋内側にかけて下り勾配となっているため、手摺支柱２下端部の屋内側に位置する２本のレベル調整用ボルト１２を、屋外側に位置する２本のレベル調整用ボルト１２よりも予め下方へ長く突出させておくとよい。接着剤Ｇとしては、金属及びコンクリートに有効な普通の接着剤に限らず、例えばエポキシ樹脂のような熱可塑性樹脂を溶融したものでもよい。
【００１３】
上述のように、手摺支柱２下端から突出させた支柱取付用アンカーとしての螺軸１１を、接着剤Ｇの注入されたアンカー挿入穴１５に挿入した状態で、レベル調整用ボルト１２を適宜に回して支柱本体５をレベル調整して鉛直姿勢にするだけで、この手摺支柱２は、作業者が保持する必要はなく、そのまま放置しておけばよく、しかして接着剤Ｇが固化すれば、適正な鉛直姿勢に立設固定されることになる。
【００１４】
手摺支柱２を堰壁１上に立設固定したならば、手摺支柱２に亘って横桟３を複数段に架け渡し、手摺支柱２の上端部に手摺笠木４を取り付ける。また、各手摺支柱２の根元部分には樹脂製の支柱根元カバー１６を取り付ける。この支柱根元カバー１６は、水平断面略々Ｃ字状のカバー本体１６ａと、このカバー本体１６ａの開口部に係嵌して取り付けられる塞ぎ部１６ｂとからなるもので、塞ぎ部２０ｂは支柱本体５にビス１７止めされる。
【００１５】
上述した実施形態では、手摺支柱２の下端部から突出させる支柱取付用アンカーとしての螺軸１１を使用したが、螺軸１１に代えて、鉄筋や鋼材片等を使用することができる。また、螺軸、鉄筋、鋼材片等は夫々複数個でもよい。
【００１６】
また上述の実施形態では、レベル調整用ボルト１２は、手摺支柱２の下端面の四隅部にあるビスホール１０に夫々螺着しているが、図４の(a) ，(b) に示すように、手摺支柱２下端に取り付けたボルト取付板１３に螺着してもよい。即ち、図４に示す実施形態では、手摺本体７の下端にボルト取付板１３を取り付け、この取付板１３にレベル調整用ボルト１２を螺着したもので、ボルト取付板１３は、手摺支柱２の横断面形状である矩形と同じ大きさの矩形状に形成されていて、この矩形状取付板１３の四隅部に夫々設けられたビス挿通孔（図示省略）から、支柱本体５の内部四隅にあるビスホール１０にねじ込まれるビス１４によって支柱本体５に取り付け固定される。このボルト取付板１３には両端部側にネジ孔１３ｏ，１３ｏが設けられていて、これらのネジ孔１３ｏ，１３ｏにレベル調整用ボルト１２，１２が夫々頭１２ｏを下向きにして螺着される。また、このボルト取付板１３には中央部にアンカー挿通孔１３ａが設けてあって、このアンカー挿通孔１３ａより螺軸１１を挿通させている。
【００１７】
上記のように、レベル調整用ボルト１２は、手摺支柱２下端面の四隅部のビスホール１０に螺着してもよいし、手摺支柱２下端にボルト取付板１３を介して螺装してもよいが、手摺支柱２下端面の四隅部のビスホール１０に螺着する場合には、レベル調整用ボルト１２をビスホール１０に直接ねじ込めばよいために、取付けが簡単となり、また手摺支柱２の四隅部の４箇所に取り付けるから、手摺支柱２の前後方向及び左右方向の傾きを調整することができて、手摺支柱２の鉛直度を簡単容易にして正確に出すことができる。
【図面の簡単な説明】
【００１８】
【図１】(a) は手摺りを屋外側から見た正面図、(b) は(a) のイ−イ線拡大断面図である。
【図２】図１の(b) のロ−ロ線拡大断面図である。
【図３】(a) は手摺支柱の取付部の拡大断面図であり、(b) は(a) のハ−ハ線断面図である。
【図４】(a) は他の実施形態の手摺支柱の取付部の拡大断面図であり、(b) は(a) のニ−ニ線断面図である。
【符号の説明】
【００１９】
１          堰壁
２          手摺支柱
９          ビスホール
１０        ビスホール
１１        螺軸（支柱取付用アンカー）
１２        レベル調整用ボルト
１３        ボルト取付板
【図１】
2006077514.tif 000003
【図２】
2006077514.tif 000004
【図３】
2006077514.tif 000005
【図４】
2006077514.tif 000006